(57)【要約】【課題】例えば外出先で衣服１からボタン５が外れたときに、非常用のボタンを素早く付けることができ、しかも、通常の衣服に使用でき、固い服地にも適用でき、コストが安く、ボタンの種類を選ばすに対応できるようにする。【解決手段】衣服１の縁部３からボタン跡まで届くクリップ１３の先端に、複数のボタン糸穴１５を設け、このボタン糸穴１５に衣服１のボタン５と同じボタン５をあらかじめ縫い付けておく。ボタン５が外れたときには、クリップ１３で衣服１の縁部３を挟み、押し込んで、先端のボタン５をボタン跡まで届くかせる。このボタン５が、衣服１の他方の縁部７の近くに形成されたボタン穴９に挿入されて、再びボタンの機能を果たす。【選択図】図1
2005073797.tif 000002
【特許請求の範囲】
【請求項１】
衣服の縁部からボタン跡まで届くクリップと、このクリップの先端に設けられてボタンを縫い付けることができる被縫付手段部と、を備えたことを特徴とする衣服用非常ボタン。
【請求項２】
前記被縫付手段部は、クリップの先端に形成された複数のボタン糸穴であることを特徴とする請求項１に記載の衣服用非常ボタン。
【請求項３】
前記クリップは、細長い金属板の長手方向に沿ってＵ字状の切込みがなされて構成され、前記ボタン糸穴は、前記Ｕ字状の切込みによって形成される舌状部分の先端に形成されたことを特徴とする請求項２に記載の衣服用非常ボタン。
【発明の詳細な説明】
【技術分野】
【０００１】
この発明は、例えば外出先で衣服からボタンが外れたときなどに、縫い付けずにボタンを衣服につけることができる技術に関する。
【背景技術】
【０００２】
従来、例えば外出先で衣服からボタンが外れたときには、携帯用の裁縫セットなどから針や糸を取り出して、ボタンを衣服に縫い付けて、付けるしかなかった。
また、次の特許文献１には、ボタン孔にＵ字状に屈曲した針金を通し、服地の裏から針金をクリップで留める技術が提案される。
【特許文献１】特開２００１−２２４４０５  また、次の特許文献２には、Ｕ字状のアーチ足を有するボタンを、服地の裏から金属製ピンで留める技術が提案される。
【特許文献２】特開２００１−１１２５１４
【発明の開示】
【発明が解決しようとする課題】
【０００３】
しかしながら、針や糸を取り出してボタンを衣服に縫い付けるには、時間と場所が必要になり、外出先の非常用の手当てにはなりにくい。
また、特許文献１の技術は、ボタン孔の存在しない部分にはボタンは留められないので、通常の衣服には使えない。
また、特許文献２の技術は、服地の裏から金属製ピンを通さなければならず固い服地などには適用できない。また、ボタンにＵ字状のアーチ足を取り付けなければならないので、取り付けコストが高くなり、ボタンの種類によっては取り付けられず、対応できない。
そこで、この発明は、外出先の非常用に用いることができ、通常の衣服に使用でき、固い服地にも適用でき 、コストが安く、ボタンの種類を選ばすに対応できる衣服用非常ボタンを提供することを課題とする。
【課題を解決するための手段】
【０００４】
以上の課題を解決するために、第一発明は、衣服の縁部からボタン跡まで届くクリップと、このクリップの先端に設けられてボタンを縫い付けることができる被縫付手段部と、を備えたことを特徴とする衣服用非常ボタンである。
第二発明は、前記被縫付手段部は、クリップの先端に形成された複数のボタン糸穴であることを特徴とする衣服用非常ボタンである。
第三発明は、前記クリップは、細長い金属板の長手方向に沿ってＵ字状の切込みがなされて構成され、前記ボタン糸穴は、前記Ｕ字状の切込みによって形成される舌状部分の先端に形成されたことを特徴とする衣服用非常ボタンである。
【発明の効果】
【０００５】
第一発明、または第二発明によれば、衣服に用いられているボタンと同じボタンをあらかじめ、クリップの先端の被縫付手段部に縫い付けておけば、例えば外出先で衣服からボタンが外れたときなどには、衣服の縁部にクリップを挟み、先端のボタンをボタン跡まで届くかせることで、簡単にボタンを付けることができ、よって非常用に適する。
【０００６】
また、ボタンを付けるためのボタン孔は不要なので、通常の衣服にも使える。  また、衣服の縁部にクリップを挟むだけで済むので、固い服地などにも適用できる。更に、ほとんどのボタンは糸で、クリップの被縫付手段部に縫い付けることができるので、コストはかからず、ほとんどのボタンの種類に対応できる。
【０００７】
第二発明によれば、更に、被縫付手段部を複数のボタン糸穴で構成でき、コストを抑えることができる。
【発明を実施するための最良の形態】
【０００８】
この発明の第１実施形態を、図１及び図２に示す。
（全体説明）
図１に示すように、通常の衣服１では、衣服１の一方の縁部３から所定寸法はなれた位置にボタン５が縫い付けられ、この縫い付けられたボタン５が、衣服１の他方の縁部７の近くに形成されたボタン穴９に挿入されて、ボタンの機能を果たす。
【０００９】
外出先で衣服１からボタン５が外れたときには、この実施形態に係る衣服用非常ボタン１１を、衣服１の一方の縁部３に取り付けることで、この衣服用非常ボタン１１に縫い付けられているボタン５が、他方の縁部７の近くに形成されたボタン穴９に挿入されて、再びボタンの機能を果たす。
【００１０】
（構成）
図２に示すように、この実施形態に係る衣服用非常ボタン１１の本体ベース１３は、薄いプラスチックでやや細長く形成され、先端１３Ａ、後端１３Ｂは丸く、先端１３Ａのほうが後端１３Ｂよりやや丸みの曲率半径が小さい。この先端１３Ａには、４つのボタン糸穴１５が形成され、予備のボタン５をあらかじめ糸１６で縫い付けておくことができる被縫付手段部を形成する。
【００１１】
図２（Ｃ）に示すように、本体ベース１３の後端１３Ｂには、概略アルファベットの筆記体のｉの形状をなす針金からなるクリップ部１７が取り付けられる。すなわち、筆記体のｉの下の二つの端部１７Ｂが、本体ベース１３の中に埋没されて取り付けが行われている。筆記体のｉの上の頂部１７Ａは、本体ベース１３の先端１３Ａよりも更に前方に、突出している。
【００１２】
クリップ部１７の後端から本体ベース１３の先端までの距離は、ボタン跡衣服の縁部からボタン跡まで届く距離を有する。
（使用方法）
まず、準備として、本体ベース１３先端に形成された４つのボタン糸穴１５に、衣服１のボタン５と同じ予備のボタン５をあらかじめ縫い付けておく。これで、実際の衣服用非常ボタン１１が出来上がり、衣服１の裏ポケットなどに入れておく。同時に二つのボタン５が外れてしまうことは考えにくいので、準備する衣服用非常ボタン１１は１つでかまわない。
【００１３】
そして、例えば外出先で衣服１からボタン５が外れたときなどには、衣服１の縁部を本体ベース１３とクリップ部１７の間に挟み、押し込んで、先端のボタン５をボタン跡まで届くかせる。このボタン５が、衣服１の他方の縁部７の近くに形成されたボタン穴９に挿入されて、再びボタン５の機能を果たす。
【００１４】
「実施形態の効果」
この実施形態によれば、衣服１に用いられているボタン５と同じボタン５をあらかじめ、本体ベース１３のボタン糸穴１５に縫い付けておけば、例えば外出先で衣服１からボタン５が外れたときなどには、簡単に、短時間で、ボタン５を付けることができ、よって非常用に適する。
【００１５】
また、ボタン５を付けるためのボタン孔は不要なので、通常の衣服１にも使える。  また、衣服１の縁部を挟むだけで済むので、固い服地などにも適用できる。更に、ほとんどのボタン５は糸で、本体ベース１３のボタン糸穴１５に縫い付けることができるので、コストはかからず、ほとんどのボタン５の種類に対応できる。
被縫付手段部は、複数のボタン糸穴１５で構成でき、コストを抑えることができる。
【００１６】
「他の実施形態」
以上の実施形態では、被縫付手段部は複数のボタン糸穴１５で構成であったが、他の実施形態では、本体ベース１３の先端に小さな窓を開口し、この窓にメッシュ体を取り付ける。取り付けは、メッシュ体の縁部を、プラスチック製本体ベースの窓の縁部に、埋め込むことで行う。メッシュ体は、頑丈な目の粗い布などを用いることができる。
【００１７】
また、以上の実施形態では、クリップは本体ベース１３とクリップ部１７とから構成されたが、図３に示す第２実施形態のように、クリップを一枚の金属板１９で形成することもできる。すなわち、クリップは、一枚の細長い金属板１９の長手方向に沿ってＵ字状の切込み２０がなされて構成される。ボタン糸穴１５は、Ｕ字状の切込み２０によって形成される舌状部分２１の先端に形成される。舌状部分２１と残りの部分２３との間に、衣服１の縁部を挟む。
【００１８】
これにより、衣服用非常ボタン１１のクリップを薄くでき、衣服１に付けたときに、ごわごわ感を少なくすることができる。
なお、クリップの本体ベース１３は金属製とすることもできる。更に、図３のクリップを一枚のプラスチック製とすることも可能である。
【図面の簡単な説明】
【００１９】
【図１】この発明の第１実施形態に係る衣服用非常ボタンを試用する状態を説明する説明図である。
【図２】図１の衣服用非常ボタンを示すもので（Ａ）は平面図（Ｂ）は側面図（Ｃ）は背面図（Ｄ）はボタンを縫い付ける前の平面図である。
【図３】この発明の第２実施形態に係る衣服用非常ボタンを示すもので（Ａ）は平面図（Ｂ）は側面図（Ｃ）は背面図（Ｄ）はボタンを縫い付ける前の平面図である。
【符号の説明】
【００２０】
１…衣服、３…一方の縁部、５…ボタン、７…他方の縁部、９…ボタン穴、１１…衣服用非常ボタン、１３…本体ベース、１５…ボタン糸穴、１７…クリップ部、１９…金属板、２１…舌状部分、２３…部分。
【図１】
2005073797.tif 000003
【図２】
2005073797.tif 000004
【図３】
2005073797.tif 000005